(57)【特許請求の範囲】
【請求項１】
テンキーを有する操作部と、
情報を表示する表示部と、
電話帳データを記憶する記憶部と、
通信相手に対する発信を行う通信部と、
制御部とを備え、
前記制御部は、前記表示部の表示画面内に前記複数の通信相手指定方法毎に別個の表示領域を設け、前記操作部からのテンキーの入力に応じて、予め定められた複数の通信相手指定方法に基づいて通信相手の候補を前記電話帳データから抽出し、前記複数の表示領域にそれぞれの前記候補を表示し、ユーザの選択に供する
ことを特徴とする通信端末装置。
【請求項２】
前記制御部は、前記表示部の表示画面上で、前記複数の表示領域の全体に亘って一度にひとつの通信相手をフォーカスするカーソルを表示し、前記操作部からの操作に応じて前記カーソルを移動させることを特徴とする請求項１記載の通信端末装置。
【請求項３】
前記複数の通信相手指定方法の少なくとも一つは、テンキーの入力が行われるたびにその蓄積した入力情報に基づいて前記電話帳データを検索することにより候補を抽出するものであることを特徴とする請求項１記載の通信端末装置。
【請求項４】
複数のテンキーの入力後、前記複数の通信相手指定方法毎のすべての前記表示領域について該当する候補が存在しなくなった状態で「発信」指示が行われた場合、前記制御部は、前記蓄積した入力情報を電話番号として前記通信部の発信を行うことを特徴とする請求項３記載の通信端末装置。
【請求項５】
前記カーソルが前記複数の表示領域のうちのある表示領域から他の表示領域へ移動したとき、前記制御部は、移動元の表示領域を削除し、その相当分だけ移動先の表示領域を拡大することを特徴とする請求項２記載の通信端末装置。
【請求項６】
前記カーソルが前記拡大した移動先の表示領域内の前記削除された移動元方向の端部からさらにその方向へ移動するよう操作されたとき、前記制御部は前記削除した表示領域の表示を復活させ、前記拡大した表示領域を元のサイズに戻すことを特徴とする請求項５記載の通信端末装置。
【請求項７】
テンキーの入力に伴って前記複数の表示領域のうちの少なくとも特定の表示領域の該当する候補が存在しなくなったとき、前記制御部は、当該候補の存在しなくなった表示領域を削除し、その相当分だけ他の表示領域を拡大することを特徴とする請求項３記載の通信端末装置。
【請求項８】
前記複数の通信相手指定方法は、テンキーに１対１に通信相手を割り当てておきテンキーの入力時に当該テンキーに割り当てられた通信相手を当該表示領域に表示する第１の通信相手指定方法と、テンキーに割り当てられた文字を利用し１以上のテンキー入力により指定された文字または文字の組み合わせに該当する候補を当該表示領域に表示する第２の通信相手指定方法と、目的の電話番号の任意の部分の任意桁数のテンキーの入力に応じて、その数字列を含む電話番号の通信相手を候補として当該表示領域に表示する第３の通信相手表示方法、のうちの少なくとも二つを含むことを特徴とする請求項１〜７のいずれかに記載の通信端末装置。
【請求項９】
テンキーを有する操作部と、情報を表示する表示部と、電話帳データを記憶を記憶する記憶部と、通信相手に対する発信を行う通信部とを備えた通信端末における通信相手選択発信方法であって、
前記操作部からのテンキーの入力に対して、予め定められた複数の通信相手指定方法に基づいて通信相手の候補を前記電話帳データから抽出するステップと、
前記表示部の表示画面内に前記複数の通信相手指定方法毎に別個に設けられた表示領域にそれぞれの前記候補を表示するステップと、
表示された任意の候補に対する前記操作部からの選択を受け付けるステップと、
前記操作部からの発信指示に応じて選択された通信相手に対して前記通信部により発信を行うステップと
を備えたことを特徴とする通信相手選択発信方法。
【請求項１０】
前記表示するステップでは、前記表示部の表示画面上で、前記複数の表示領域の全体に亘って一度にひとつの通信相手をフォーカスするカーソルを表示し、前記操作部からの操作に応じて前記カーソルを移動させることを特徴とする請求項９記載の通信相手選択発信方法。
【請求項１１】
前記複数の通信相手指定方法の少なくとも一つは、テンキーの入力が行われるたびにその蓄積した入力情報に基づいて前記電話帳データを検索することにより候補を抽出することを特徴とする請求項９記載の通信相手選択発信方法。
【請求項１２】
複数のテンキーの入力後、前記複数の通信相手指定方法毎のすべての前記表示領域について該当する候補が存在しなくなった状態で前記操作部からの発信指示が行われた場合、前記発信を行うステップにおいて、前記蓄積した入力情報を電話番号として前記通信部の発信を行うことを特徴とする請求項１１記載の通信相手選択発信方法。
【請求項１３】
前記カーソルが前記複数の表示領域のうちのある表示領域から他の表示領域へ移動したとき、前記表示するステップでは、移動元の表示領域を削除し、その相当分だけ移動先の表示領域を拡大することを特徴とする請求項１０記載の通信相手選択発信方法。
【請求項１４】
前記カーソルが前記拡大した移動先の表示領域内の前記削除された移動元方向の端部からさらにその方向へ移動するよう操作されたとき、前記表示するステップでは、前記削除した表示領域の表示を復活させ、前記拡大した表示領域を元のサイズに戻すことを特徴とする請求項１３記載の通信相手選択発信方法。
【請求項１５】
テンキーの入力に伴って前記複数の表示領域のうちの少なくとも特定の表示領域の該当する候補が存在しなくなったとき、前記表示するステップでは、当該候補の存在しなくなった表示領域を削除し、その相当分だけ他の表示領域を拡大することを特徴とする請求項１１記載の通信相手選択発信方法。
【請求項１６】
前記複数の通信相手指定方法は、テンキーに１対１に通信相手を割り当てておきテンキーの入力時に当該テンキーに割り当てられた通信相手を当該表示領域に表示する第１の通信相手指定方法と、テンキーに割り当てられた文字を利用し１以上のテンキー入力により指定された文字または文字の組み合わせに該当する候補を当該表示領域に表示する第２の通信相手指定方法と、目的の電話番号の任意の部分の任意桁数のテンキーの入力に応じて、その数字列を含む電話番号の通信相手を候補として当該表示領域に表示する第３の通信相手表示方法、のうちの少なくとも二つを含むことを特徴とする請求項９〜１５のいずれかに記載の通信相手選択発信方法。
【発明の詳細な説明】
【技術分野】
【０００１】
本発明は、電話帳データの登録機能を有する通信端末装置に関し、特に、ユーザによるテンキーの入力に応じて該当する通信相手の候補を電話帳データから抽出する通信端末装置およびその通信端末装置に関するものである。
【背景技術】
【０００２】
電話機のような通信端末装置（以下、単に通信端末ともいう）において、通信相手に対して電話を掛ける場合には相手の電話番号のすべての数字を正確に入力する必要がある。
【０００３】
電話番号の入力の手間を省くとともに、間違い電話を防ぐために、近年の電話機には、通信相手の名称および電話番号を含む電話帳データを内部に登録する電子電話帳を備えている。一旦登録した通信相手については、その相手に通信を行おうとする際、再度、その電話番号を入力することなく、電話帳データからその通信相手のデータを選択することにより、発信が行えるようになっている。
【０００４】
最近の携帯電話端末のような通信端末における電話帳の登録可能な件数は５００件以上となっており、多いものは１０００件に達する機種も存在する。したがって、登録件数が増加すると、登録内容から目的の相手の電話番号を見つけ出すことが困難となる。
【０００５】
この問題に対して、従来、利用頻度の高い電話番号を予め特定のキーに１対１に割り当ててその相手名称と電話番号とを登録しておき、電話の利用時に、そのキー（数字）を押すと当該相手の電話番号を自動的に読み出して発信する技術が知られている。
【０００６】
特許文献１には、登録されている通信相手（電話番号）を検索する場合、電話番号の先頭から末尾までのすべての数字を入力しなくても、その一部の連続した４桁の数字を入力して「電話番号検索キー」を押下することにより、当該数字列を含む登録電話番号を検索し、該当する登録電話番号を選択して利用する技術が提案されている。
【０００７】
また、数字以外の文字（かな、アルファベット、記号等）の入力のため、電話端末の入力操作部にあるキー（主としてテンキー）には、その各キーに複数の文字が割り当てられている。例えば、かな文字については、各キーに対して５０音の行が割り当てられている。特許文献２には、電話帳に登録する相手名称のヨミ（かな）の各文字が対応するキーの数字列を、各電話番号とともに登録しておき、ユーザの利用の際には、呼び出したい相手名称の文字が含まれる５０音の行が割り当てられた数字を入力して得られる数字列を登録数字列と比較して、該当する登録名称および電話番号を抽出し、選択して利用する技術が提案されている。
【特許文献１】特開２００１−２２３７８０号公報
【特許文献２】特開２００４−２４８１５１号公報
【発明の開示】
【発明が解決しようとする課題】
【０００８】
上述したキーに１対１に通信相手の電話番号を割り当てる従来技術は、利用頻度の高い電話番号については、迅速な発信を行えるので便利である。しかし、通信端末におけるキーの個数が限られているため、登録できる通信相手の数も限られる。また、その登録数が多くなれば、どの番号が誰かを正確に記憶しておくのも困難となる。
【０００９】
したがって、特定のキーに割り当てられていない、多数登録された通信相手の中から目的の通信相手を選択する際には、検索が必要となる。
【００１０】
電話帳の検索の一方法としては、通信相手の名称をグループ（例えば５０音の行毎、英文字、記号等）に分けて、リスト表示を切り替える方法が多くの機種に採用されている。しかし、登録数が多数になると、１つのグループ内の登録数も多くなり、目的の通信相手を探すのに煩雑な操作と時間を要することになる。
【００１１】
特許文献１に記載の技術は、目的の通信相手の電話番号の一部を手がかりに当該電話番号を検索できる利点があるが、ユーザが少なくとも複数桁の連続した数字列を記憶している電話番号にしか利用できない。また、少数のキーの入力では、それらの数字列が電話番号上のどの位置（例えば局番を含む場合）に当たるかによって、あるいは、入力桁数によって（桁数が少ない場合）、該当件数が多くなる場合がある。また、「検索キー」の押下によって検索を行うので、少ない数字列を入力してみて、該当件数をチェックした後その結果が芳しくない場合に再度検索を行うためにはさらに多くの数字列を初めから入力し直す必要がある。
【００１２】
特許文献２に記載の技術では、通信相手の登録名称の文字種類が、かな、英文字、数字等、様々であっても、それらに割り当てられたキーは通常キートップに表記されているので、そのキーを押下するのみで、文字種類のための切り替え操作は不要である利点がある。しかし、この検索方法は、電話帳においてその通信相手をどのような名称で登録したかを正確に記憶していない場合には利用できない。また、少数のキー入力では該当件数がきわめて多くなる場合がある。
【００１３】
このように、従来の電話番号の指定方法には、一長一短があり、状況に応じて、また、ユーザの好みに応じてそれらを使い分けられることが好ましい。
【００１４】
しかしながら、１台の通信端末において、上記のような複数の電話番号指定方法を採用したとしても、電話の利用時にどの電話番号指定方法を利用するかをメニュー等から予め選択させるような操作をユーザに強いるのでは、操作が煩雑となるだけでなく、従来の指定方法がそのまま利用できなくなると、使い勝手を損なってしまう。
【００１５】
本発明はこのような背景においてなされたものであり、通信端末に対して複数の通信相手指定方法の使い分けをユーザが指示操作することなく、任意の通信相手指定方法を利用できるようにするものである。
【課題を解決するための手段】
【００１６】
本発明による通信端末装置は、テンキーを有する操作部と、情報を表示する表示部と、電話帳データを記憶する記憶部と、通信相手に対する発信を行う通信部と、制御部とを備え、前記制御部は、前記表示部の表示画面内に前記複数の通信相手指定方法毎に別個の表示領域を設け、前記操作部からのテンキーの入力に応じて、予め定められた複数の通信相手指定方法に基づいて通信相手の候補を前記電話帳データから抽出し、前記複数の表示領域にそれぞれの前記候補を表示し、ユーザの選択に供することを特徴とする。
【００１７】
この発明では、前記表示部の表示画面内に前記複数の通信相手指定方法毎に別個の表示領域が設けられ、制御部は、複数の通信相手指定方法に基づいて通信相手の候補を前記電話帳データから抽出して、各表示領域にそれぞれの候補を表示し、ユーザの選択に供する。この構成により、ユーザは、通信相手を指定する際に、予め通信相手指定方法を装置に知らしめるための操作を行う必要がなく、所望の通信相手指定方法に則っていきなりテンキーの入力を開始してよい。これによって、前記複数の通信相手指定方法毎に別個の表示領域のうち、該当する表示領域に表示された通信相手候補の中から目的の通信相手を選択して発信操作を行うことができる。
【００１８】
前記制御部は、前記表示部の表示画面上で、前記複数の表示領域の全体に亘って一度にひとつの通信相手をフォーカスするカーソルを表示し、前記操作部からの操作に応じて前記カーソルを移動させる。目的の表示領域内に複数の通信相手の候補が表示された場合、カーソルにより目的の相手を選択することができる。
【００１９】
前記複数の通信相手指定方法の少なくとも一つは、テンキーの入力が行われるたびにその蓄積した入力情報に基づいて前記電話帳データを検索するものである。これによりテンキーを追加入力する毎に該当する通信相手の候補数が絞られていく。
【００２０】
複数のテンキーの入力後、前記複数の通信相手指定方法毎のすべての前記表示領域について該当する候補が存在しなくなった状態で「発信」指示が行われた場合、前記制御部は、前記蓄積した数字列を電話番号として前記通信部の発信を行うことができる。これにより、電話帳に登録していない通信相手に対する発信が従来と同様に行える。
【００２１】
前記カーソルが前記複数の表示領域のうちのある表示領域から他の表示領域へ移動したとき、好ましくは、前記制御部は、移動元の表示領域を削除し、その相当分だけ移動先の表示領域を拡大する。これにより、限られた表示画面を有効に利用することができる。
【００２２】
前記カーソルが前記拡大した移動先の表示領域内の前記削除された移動元方向の端部からさらにその方向へ移動するよう操作されたとき、前記制御部は前記削除した表示領域の表示を復活させ、前記拡大した表示領域を元のサイズに戻すことができる。これは、誤ってカーソルを移動させたことにより表示領域が削除された場合の対処として有用である。
【００２３】
テンキーの入力に伴って前記複数の表示領域のうちの少なくとも特定の表示領域の該当する候補が存在しなくなったとき、前記制御部は、当該候補の存在しなくなった表示領域を削除し、その相当分だけ他の表示領域を拡大することが好ましい。これにより、限られた表示画面を有効に利用することができる。
【００２４】
本発明による通信相手選択発信方法は、テンキーを有する操作部と、情報を表示する表示部と、電話帳データを記憶を記憶する記憶部と、通信相手に対する発信を行う通信部とを備えた通信端末における通信相手選択発信方法であって、前記操作部からのテンキーの入力に対して、予め定められた複数の通信相手指定方法に基づいて通信相手の候補を前記電話帳データから抽出するステップと、前記表示部の表示画面内に前記複数の通信相手指定方法毎に別個に設けられた表示領域にそれぞれの前記候補を表示するステップと、表示された任意の候補に対する前記操作部からの選択を受け付けるステップと、前記操作部からの発信指示に応じて選択された通信相手に対して前記通信部により発信を行うステップとを備えたことを特徴とする。
【発明の効果】
【００２５】
本発明によれば、表示画面内に複数の通信相手指定方法毎に別個の表示領域を設けて、複数の通信相手指定方法に基づいて通信相手の候補を前記電話帳データから抽出して、各表示領域にそれぞれの候補を表示し、ユーザの選択に供するので、ユーザは通信端末に対して複数の通信相手指定方法の使い分けを指示操作することなく、任意の通信相手指定方法を利用できる。本発明の方法は、従来のフルに電話番号を入力する操作とも矛盾しない。ユーザは、適宜、状況に応じて使用しやすい通信相手指定方法を選択して用いることができる。また、使い慣れた一つの通信相手指定方法のみを利用するユーザは他の通信相手指定方法の利用の仕方を知らなくても操作上何ら支障はない。
【発明を実施するための最良の形態】
【００２６】
以下、本発明の好適な実施の形態について図面を参照しながら詳細に説明する。
【００２７】
図１は、本発明による通信端末の一実施の形態としての携帯電話端末（単に携帯端末ともいう）１００の外観を示している。この例では、携帯端末１００は、ヒンジ部１８で開閉可能に連結された上部筐体１４および下部筐体２５を有する折り畳み式の携帯電話端末を示している。但し、本発明が適用される通信端末は、図示のような二つ折りの携帯電話端末に限るものではなく、また、携帯型に限るものでもない。
【００２８】
通信相手情報として電話番号について説明するが、電話番号に変えて、または、電話番号に加えて、電子メールアドレスなどの他の通信情報を対象としてもよい。
【００２９】
図１に示した携帯端末１００の構成では、上部筐体１４の内側の面の上部にはスピーカ１２が配置され、内側の主要面には表示部１６（例えば液晶ディスプレイのような平面表示デバイス）が配置されている。
【００３０】
下部筐体２５の内側の面には、上部中央にジョグダイヤル２０、この両側端に左右キー２６ａ，２６ｂ、さらにその両側端にソフトキー１７ａ，１７ｂが配列されている。ジョグダイヤル２０は、回転動作可能な押圧スイッチである。ソフトキー１７ａ，１７ｂは、種々のメニューや画面に対応して任意の機能が割り当てられる操作キーであり、その割り当てられた機能は、キー操作表示領域の表示内容によってユーザに知らしめられる。左右キー２６ａ，２６ｂについては、携帯端末の各利用場面でのその使用の可否がキー操作表示領域に表示されるようになっている。これらの操作キーの下側には、通話キー２１、クリアキー２２、および電源キー／終話キー２３が配置されている。さらにその下側にはテンキー２８が配置され、これらの下側にはメモキー３０およびマナーキー３１が配置されている。下部筐体２５の最下部にはマイク３２が配置されている。
【００３１】
前述したように、テンキー２８には、数字以外の文字（かな、アルファベット、記号等）の入力のため、電話端末の入力操作部にあるキー（主としてテンキー）の各々には、複数の文字が割り当てられている。例えば、かな文字については、各キーに対して５０音の行が割り当てられている。アルファベットも分散して複数のキーに割り当てられている。
【００３２】
図２は、携帯端末１００のハードウェア構成の概略を示すブロック図である。この携帯端末１００は、携帯電話機に特有の要素として、アンテナ２０１、送受信処理部２０３、変復調処理部２０５、データ処理部２０７、Ｄ／Ａ変換器２０９、スピーカ２１０、Ａ／Ｄ変換器２１１およびマイク２１２を備える。携帯端末１００は、また、これらの各要素を制御するＣＰＵ等を含む制御部２２５、この制御部２２５により作業領域やデータの一時記憶領域として利用されるメモリ２２７、日時情報を生成する時計部２２９、ユーザインタフェースとして機能する表示部２２０および操作部２２３等を備える。
【００３３】
操作部２２３の任意の操作キーやボタン、ダイヤル等の操作要素がユーザにより操作されると、制御部２２５においてその操作が検出されるようになっている。メモリ２２７には、読出し専用メモリや、再書き込み可能な不揮発性のＲＯＭ（フラッシュメモリ等）を含み、通常の携帯電話機の操作入力受付、通信、メール処理、ウェブ処理、表示、音声入出力、電話帳管理、スケジュール管理、等の各種動作のための制御プログラム、本実施の形態における後述するような各種の処理を行う制御プログラム、および必要なデータが記憶される。このデータには、本実施の形態における電話帳データの他、送受信されたメール情報、スケジュール情報等のデータが含まれうる。
【００３４】
以下、本実施の形態における携帯端末１００の動作について説明する。
【００３５】
図３は、携帯端末１００が採用する３つの通信相手指定方法の説明図である。この図では、３つの通信相手指定方法による例を示している。
【００３６】
第１の方法は、いわゆる「ショートカット」を利用するものである。図の例では、テンキー“１”〜“９”，“０”の割り当てられた各キーに１対１に通信相手（の電話番号）を割り当てて、登録することができる。すなわち、最大１０人までの登録が可能である。いずれかのテンキーの押下により通信相手を当該通信相手を候補として当該表示領域に表示し、ユーザの選択に供するものである。
【００３７】
第２の方法は、「キー割り当て文字」を利用するものである。この方法は基本的には上記特許文献２に記載の技術と同様であり、複数のテンキー入力により指定された文字または文字の組み合わせに該当する候補を当該表示領域に表示し、ユーザの選択に供するものである。
【００３８】
第３の方法は、「直接番号入力」を利用するものである。この方法は、電話番号の全数字をキー入力することによる古典的な通信相手指定方法の他、上記特許文献１に記載の部分番号列の入力も含むものである。すなわち、目的の電話番号の任意の部分の任意桁数の数字列の入力に応じて、その数字列を含む電話番号の通信相手を候補として当該表示領域に表示し、ユーザの選択に供するものである。
【００３９】
これらの通信相手指定方法は、いずれも、基本的には公知であるが、本発明はこれらを組み合わせて利用する方法に特徴を有する。
【００４０】
すなわち、本発明では、ユーザがどの通信相手指定方法を利用するかを前もって携帯端末１００に知らせる必要はなく、いきなり、いずれかの通信相手指定方法に則ってテンキー（数字）の入力を行うことができる。また、携帯端末１００ではその時点で利用可能な複数の通信相手指定方法によって電話帳の検索を実行し、その検索結果としての選択候補を、表示画面上の複数の領域に同時に表示する。選択候補は、ショートカット利用の場合を除き、０個の場合、１個の場合、複数個の場合がありうる。複数個の場合には、表示領域が許す範囲で一部の選択候補を抽出して表示する。ショートカット利用の場合は、本実施の形態では、テンキーに対する最初のキー入力の場合にのみ、それに対応する選択候補を１個表示する。第２キー入力以降は、ショートカット利用の可能性が消失したため、ショートカット利用による選択候補の表示（領域）は削除する。より具体的な動作例については後に詳述する。
【００４１】
図４は、本実施の形態における電話帳データの構成例を示している。この電話帳データ４００は、登録対象の通信相手毎に、「登録Ｎｏ．」「名前」「ヨミ」「電話番号」「メールアドレス」「ショートカット」「名前対応キー列」等を保存している。
【００４２】
「登録Ｎｏ．」は通信相手の登録毎にその登録相手情報に対して付与される一意の番号であり、例えば通し番号である。「名前」は携帯端末のユーザが通信相手の識別情報として入力した任意の文字列（本名、ニックネーム等）である。「ヨミ」はその名前が漢字の場合には仮名文字（ここではカタカナ）、名前がアルファベットの場合はアルファベットである。但し、ヨミをユーザが任意の文字列に書き換えることも可能である。「ショートカット」はその通信相手に１対１に割り当てられたテンキーの数字であり、ユーザによるショートカットの登録時に登録される。「名前対応キー列」は名前のヨミを構成する文字列に対応するテンキーの数字を羅列した数字列であり、通信相手の登録時に携帯端末１００が生成する。
【００４３】
「電話番号」や「メールアドレス」は、同一人に対して、複数登録できるようにしてもよい。
【００４４】
なお、図４に示した電話帳データ４００の構成は、便宜上テーブル形式で示しているが、データ形式はこれに限るものではない。また、「ショートカット」や「名前対応キー列」は、電話帳データに含めたが、一緒にまたは別々に、電話帳データとは別のデータ構造（例えばデータテーブル）として、対応する電話帳登録相手情報に対応づけて管理するようにしてもよい。
【００４５】
次に、図５により具体的な数字列の入力例による、表示部の表示画面の遷移の例を示す。
【００４６】
まず、図５（ａ）により、本実施の形態における電話番号入力時の表示画面３００の構成例を示す。
【００４７】
この表示画面３００は、上から、いわゆるピクト表示領域３１０、ショートカット利用表示領域３２０、キー割当文字利用表示領域３３０、直接番号入力利用表示領域３４０、入力文字列表示領域３５０、キー操作表示領域３６０を有する。
【００４８】
ピクト表示領域３１０は、通常の携帯電話端末に設けられている、受信電波の強度やバッテリ残量等を示すアイコンなどが表示される領域である。
【００４９】
ショートカット利用表示領域３２０は、本実施の形態において設けられた表示領域であり、図３（１）に示したショートカット利用に対応し、所定の状態（例えば携帯電話端末の待受状態）からユーザにより入力された第１のキーに応じて、そのキーに１対１に割り当てられた通信相手が登録されている場合に、その登録相手情報（この例では登録Ｎｏ．と名前と電話番号）が表示される領域である。このキーに対応する登録相手情報が存在しなければ、この表示領域３２０は設けられず、そのエリアは他の表示領域（ここではキー割当文字利用表示領域３３０）に吸収される。
【００５０】
キー割当文字利用表示領域３３０は、図３（２）で説明したキー割当文字利用による通信相手指定方法に対応し、ユーザにより入力された第１のキーおよびそれ以降のキーにより定まる数字および数字列に基づいて、電話帳データ４００の名前対応キー列の可能な文字の組み合わせに一致する登録相手情報を所定個数だけ抽出して表示する領域である。
【００５１】
直接番号入力利用表示領域３４０は、図３（３）で説明した直接番号入力利用による通信相手指定方法に対応し、ユーザが入力した数字列を少なくとも一部分とする電話番号を有する登録相手情報を所定個数だけ表示する領域である。
【００５２】
入力文字列表示領域３５０は、ユーザにより入力されたテンキーの数字を順次表示していく領域である。これは電話機の古典的な通信相手指定方法である電話番号のすべての数字列を入力する場合の表示と同じ表示態様となる。
【００５３】
図５（ａ）は、ユーザが待受画面において第１キー入力（“３”）を行ったときの表示画面３００の例を示している。ショートカット利用表示領域３２０には、キー“３”に対応してショートカットとして登録された登録相手情報である通信相手の登録番号と名前と電話番号が表示されている。また、初期的に、カーソル３０１がこの登録相手情報を強調表示（フォーカス）している。カーソル３０１の表示形態としては、反転表示、ハイライト表示、色変化等、任意である。
【００５４】
キー割当文字利用表示領域３３０には、この時点で入力済みの数字列（“３”）に該当する名前を有する登録相手情報が所定個数だけピックアップされて表示されている。この表示個数を超える該当登録相手情報が存在する場合には、所定の規則に従って登録相手情報の選択が行われる。所定の規則とは、例えば、登録番号順、電話番号順、文字コード順等である。
【００５５】
直接番号入力利用表示領域３４０には、この時点で入力済みの数字列（“３”）を含む電話番号を有する登録相手情報が所定個数だけピックアップされて表示されている。この領域についても、表示個数を超える該当登録相手情報が存在する場合には、所定の規則に従って登録相手情報の選択が行われる。
【００５６】
入力文字列表示領域３５０には、この時点で入力済みの数字列（“３”）がそのまま表示されている。
【００５７】
キー操作表示領域３６０は、その時点で操作部の操作キーに割り当てられる機能等をユーザに知らしめるために表示する領域である。
【００５８】
カーソル３０１はユーザによる指示操作により、領域３２０〜３４０の間でそれらの境界を越えて別の登録相手情報に移動させることができるようになっている。ユーザが操作部の操作により「発信」指示を行うと、端末は、その時点でカーソル３０１によりフォーカスされている登録相手情報の通信相手の電話番号に対して自動的に発信を行う。
【００５９】
図５（ａ）の領域３２０，キー割当文字利用表示領域３３０，直接番号入力利用表示領域３４０のいずれかに目的の通信相手が現れていれば、その登録相手情報にカーソル３０１を合わせて発信を行うことができる。
【００６０】
目的の通信相手が現れていなければ、ユーザは、もう一桁数字を追加するよう第２キー入力を行う。図５（ｂ）は第１キー入力（“３”）に続いて、第２キー入力（“４”）を行ったときの表示画面３００の例を示している。入力文字列表示領域３５０からわかるように、この時点までの入力数字列は２桁の“３４”となる。本実施の形態ではショートカット利用による数字列は１桁のみなので、この時点でショートカット利用の可能性がなくなるため、ショートカット利用表示領域３２０はその領域自体を削除して別の領域（ここではキー割当文字利用表示領域３３０）にその領域を開放している。
【００６１】
入力文字列が“３”から“３４”となったために、キー割当文字利用表示領域３３０および直接番号入力利用表示領域３４０の該当登録相手情報が絞られている（減数している）。キー割当文字利用表示領域３３０または直接番号入力利用表示領域３４０に目的の通信相手が現れていれば、その登録相手情報にカーソル３０１を合わせて発信を行うことができる。
【００６２】
図５（ｂ）の表示画面３００において、目的の通信相手が現れていなければ、ユーザは、もう一桁数字を追加するよう第３キー入力を行う。図５（ｃ）は第２キー入力（“４”）に続いて、第２キー入力（“６”）を行ったときの表示画面３００の例を示している。これにより、入力文字列表示領域３５０からわかるように、この時点までの入力数字列は２桁の“３４６”となる。
【００６３】
入力文字列が“３４”から“３４６”となったために、キー割当文字利用表示領域３３０および直接番号入力利用表示領域３４０の該当登録相手情報がさらに絞られている（減数している）。領域３３０または３４０に目的の通信相手が現れていれば、その登録相手情報にカーソル３０１を合わせて発信を行うことができる。
【００６４】
図６は、具体的な数字列の他の入力例による、表示部の表示画面の遷移の例を示す。
【００６５】
図６（ａ）は、第１キー入力として“０”を入力したときの表示画面３００の例を示している。ここでは、ユーザが直接番号入力を利用する場合を想定している。各領域３１０〜３６０については図５（ａ）で説明したとおりである。図６（ｂ）に示すように、第２キー入力として“３”を入力したとき、ショートカット利用表示領域３２０は削除され、キー割当文字利用表示領域３３０に吸収される。但し、キー割当文字利用表示領域３３０に該当する登録相手情報が存在しないためにキー割当文字利用表示領域３３０が空白となっている例を示している。したがって、カーソル３０１は直接番号入力利用表示領域３４０の最初の登録相手情報に移動している。この時点まで、目的の登録相手情報が現れないため、ユーザは第３キー入力として“５”を入力したとする。図６（ｃ）にこのときの表示画面３００を示す。図６（ｄ）はさらに第４キー入力として”４”を入力したときの表示画面３００を示している。直接番号入力利用表示領域３４０に目的の登録相手情報が現れるまで、ユーザはキー入力を継続して行う。ここでは、直接番号入力利用の際に、電話番号の先頭から入力する例を示した。この場合、局番が共通する電話番号が比較的多く存在しうるので、比較的多くの桁の数字を入力する必要があると推測される。しかし、電話番号の下４桁等を利用すれば、電話帳に登録できる高々数百または千程度の通信相手の中では、複数の登録相手情報の電話番号が一部でも一致する確率はきわめて小さくなるため、２，３桁、多くとも４桁の数字を入力すれば、登録相手情報が直接番号入力利用表示領域３４０に表示されると考えられる。
【００６６】
なお、電話帳に登録されていない電話番号を入力する場合には、当然ながらその電話番号のすべての数字を入力する必要がある。この場合には、図７に示すように、キー割当文字利用表示領域３３０および直接番号入力利用表示領域３４０は空白となり、表示領域３５０に対してカーソル３０１が自動的に移動する。ユーザは、入力文字列表示領域３５０を利用して発信を行う場合、その領域に電話番号の全桁が入力された状態で「発信」指示を行うことができる。このときのユーザが行う操作は、最初から最後まで、従来の通常の電話機の操作とまったく変わるところはない。なお、このとき表示領域３５０に対してカーソル３０１を表示するようにしたが、この表示は必須ではない。
【００６７】
図８は、本実施の形態の他の処理例による表示画面の例を示している。図６（ｂ）に示したように、キー割当文字利用表示領域３３０が空白となったとき、図８（ｂ）（ｃ）（ｄ）に示すように、直接番号入力利用表示領域３４０がその領域を吸収して利用する。その結果、直接番号入力利用表示領域３４０に表示される登録相手情報の個数が増加するため、その個数が少ない場合に比べて、より少ない桁数の数字入力で、直接番号入力利用表示領域３４０に目的の登録相手情報が表示される可能性が高まる。
【００６８】
図９（ａ）〜（ｄ）は、本実施の形態のさらに他の処理例による表示画面の例を示している。図９（ａ）（ｂ）は図５（ａ）（ｂ）と同じである。この状態で、図９（ｃ）に示すように、キー割当文字利用表示領域３３０内の最下段の登録相手情報にカーソル３０１が位置した状態から、さらにカーソル３０１を下方に移動させるユーザ操作によりカーャ汲R０１をキー割当文字利用表示領域３３０から直接番号入力利用表示領域３４０へ移動（越境）させたとき、図９（ｄ）に示すように、キー割当文字利用表示領域３３０を削除し、直接番号入力利用表示領域３４０をその相当分だけ拡大する。これにより、直接番号入力利用表示領域３４０に表示される登録相手情報の個数が増加するため、その個数が少ない場合に比べて、より少ない桁数の数字入力で、直接番号入力利用表示領域３４０に目的の登録相手情報が表示される可能性が高まる。
【００６９】
なお、誤ったユーザ操作によりカーソル３０１がキー割当文字利用表示領域３３０から直接番号入力利用表示領域３４０へ越境した場合、図９（ｄ）の状態からカーソル３０１を上方へ移動操作することにより、図９（ｃ）に示す状態に戻すようにしてもよい。このとき、キー割当文字利用表示領域３３０が復活し、直接番号入力利用表示領域３４０が元のサイズに戻る。
【００７０】
また、図９（ｄ）に示すように直接番号入力利用表示領域３４０が拡大した後、カーソル３０１が直接番号入力利用表示領域３４０内の最下段まで移動し、さらにユーザが下方への移動を指示した場合、直接番号入力利用表示領域３４０内に一度に表示しきれない登録相手情報が存在するとき、直接番号入力利用表示領域３４０内の表示内容を上方へスクロールするようにしてもよい。このような上方へのスクロールが行われた後、カーソル３０１がスクロール後の直接番号入力利用表示領域３４０内の最上段からさらに上方への移動指示が行われたら、直接番号入力利用表示領域３４０内の表示内容を下方へスクロールするようにしてもよい。
【００７１】
このような直接番号入力利用表示領域３４０内の登録相手情報のスクロールは図９（ｂ）のように直接番号入力利用表示領域３４０が拡大していない状態でも行えるようにしてもよい。
【００７２】
図１０は、端末が待受状態にあるときユーザの操作に応じて数字の入力を受け付け、電話帳の検索を行って発信を行うまでの制御部の処理の流れを示したフローチャートである。
【００７３】
図１０の処理において、制御部はテンキーの入力を待機し、入力があったとき（Ｓ１１，Ｙｅｓ）、以下の処理を行う。
【００７４】
まず、その入力されたテンキーのキー番号（数字）を数字列として蓄積し、表示領域３５０に追加表示する（Ｓ１２）。この数字列は、最初は“０”であり、テンキーの入力毎に１桁ずつ増加していく。
【００７５】
当該キー入力が待受状態からの最初のキー入力（すなわち第１キー入力）であれば（Ｓ１３，Ｙｅｓ）、当該テンキーに対応する登録相手情報を表示領域３２０に表示する（Ｓ１５）。当該テンキー入力が第１キー入力でなければ、表示領域３２０が存在すれば、その領域を削除して、他の表示領域用に開放する（Ｓ１４）。
【００７６】
その後、キー割当文字列に基づいて電話帳データを検索する（Ｓ１６）。この検索の結果、該当する登録相手情報を所定数分だけ表示領域３３０に表示する（Ｓ１７）。この所定数は表示領域３３０が許容する数である。
【００７７】
続いて、入力数字列に基づいて電話帳データを検索する（Ｓ１８）。該当する登録相手情報を所定数分だけ表示領域直接番号入力利用表示領域３４０に表示する（Ｓ１９）。この所定数は直接番号入力利用表示領域３４０が許容する数である。
【００７８】
ステップＳ１１のＮｏ分岐から、または、ステップＳ１９に続いて、ユーザによるカーソル３０１の移動操作があれば（Ｓ２０，Ｙｅｓ）、カーソル３０１の移動処理を行う（Ｓ２１）。この移動処理では、移動方向に、順次、次の登録相手情報がフォーカスされるように、カーソル３０１の移動を行う。
【００７９】
任意の登録相手情報がフォーカスされた状態で、ユーザ操作により発信指示が行われたら（Ｓ２２，Ｙｅｓ）、現在フォーカスされている通信相手があるかをチェックする（Ｓ２３）。あれば、現在フォーカスされている通信相手の電話番号への発信を行う（Ｓ２４）。なければ、表示領域３５０内の数字列を電話番号として発信する。ステップＳ２２において発信指示がなければ、ステップＳ１１の待機状態へ戻る。
【００８０】
次に、図１０内のステップＳ２１の変形例を説明する。ステップＳ２１におけるカーソル移動は上述したとおりであるが、図９で説明したように、カーソル３０１の越境時に表示領域の拡大・復帰を行うためには別の処理が必要である。そのような処理を図１１に示す。但し、このような処理は本発明において必須のものではない。
【００８１】
この処理において、カーソル３０１がキー割当文字利用表示領域３３０から直接番号入力利用表示領域３４０へ越境したか否かを表す「越境フラグ」を導入する。この越境フラグは、メモリ２２７に記憶されるデータであり、本実施の形態では初期的に“０”（非越境状態）であり、越境したときに“１”（越境状態）となる。
【００８２】
図１１の処理では、越境フラグが“１”であれば、ステップＳ３８へ進む。越境フラグが“１”でなければ、上記と同様のフォーカスを一つの登録相手情報単位に移動させるカーソル移動を行う（Ｓ３２）。このカーソル移動により、カーソル３０１がキー割当文字利用表示領域３３０から直接番号入力利用表示領域３４０へ越境したならば（Ｓ３３，Ｙｅｓ）、ステップＳ３４へ進む。越境しなければ、図１０の処理へ戻る。
【００８３】
ステップＳ３４では、越境フラグを“１”に設定し（Ｓ３４）、キー割当文字利用表示領域３３０を削除し、直接番号入力利用表示領域３４０をその分だけ拡大する（Ｓ３５）。この際、ショートカット利用表示領域３２０が存在すればその領域も削除し、その分だけ直接番号入力利用表示領域３４０を拡大する。その後、図１０の処理へ戻る。
【００８４】
ステップＳ３６では、カーソル移動操作に応じてカーソル３０１を移動させるとともに、必要に応じて、上述したように直接番号入力利用表示領域３４０内の登録相手情報をスクロールする（Ｓ３６）。
【００８５】
越境フラグが“１”の状態で、カーソル３０１が直接番号入力利用表示領域３４０内の先頭より上へ移動するような指示（カーソル移動操作）があれば（Ｓ３７，Ｙｅｓ）、キー割当文字利用表示領域３３０を復元表示し（Ｓ３８）、越境フラグを“０”に戻して（Ｓ３９）、図１０の処理へ戻る。
【００８６】
なお、各表示領域の位置や順序は必ずしも図示の例と同じでなくてもよい。また、キー割当文字利用表示領域３３０および直接番号入力利用表示領域３４０に表示される通信相手数も図示の個数に限るものではない。
【００８７】
以上、本発明の好適な実施の形態について説明したが、上記で言及した以外にも種々の変形、変更を行うことが可能である。例えば、検索対象は通信相手の電話番号の例を示したが、メールアドレス等、他の情報であってもよい。
【００８８】
複数の通信相手指定方法のうち、ユーザが利用するものを初期設定で選択できるようにしてもよい。この場合、初期設定で選択されなかった通信相手指定方法についてはその該当する表示領域は最初から表示しないことにより、他の表示領域がその領域を活用することができる。
【図面の簡単な説明】
【００８９】
【図１】本発明による通信端末の一実施の形態としての携帯電話端末（単に携帯端末ともいう）の外観を示す図である。
【図２】図１に示した携帯端末のハードウェア構成の概略を示すブロック図である。
【図３】本発明の実施の形態における携帯端末が採用する３つの通信相手指定方法の説明図である。
【図４】本発明の実施の形態における電話帳データの構成例を示す図である。
【図５】本発明の実施の形態における、より具体的な数字列の入力例による、表示部の表示画面の遷移の例を示す図である。
【図６】本発明の実施の形態における、より具体的な数字列の入力例による、表示部の表示画面の遷移の他の例を示す図である。
【図７】本発明の実施の形態において、電話帳に登録されていない電話番号を入力する場合の表示画面の例を示す図である。
【図８】本発明の実施の形態の他の処理例による表示画面の例を示す図である。
【図９】本発明の実施の形態のさらに他の処理例による表示画面の例を示す図である。
【図１０】本発明の実施の形態において端末が待受状態にあるときユーザの操作に応じて数字の入力を受け付け、電話帳の検索を行って発信を行うまでの制御部の処理の流れを示したフローチャートである。
【図１１】図９の処理例に対応して、カーソルの越境時に表示領域の拡大・復帰を行うためには別の処理のフローチャートである。
【符号の説明】
【００９０】
１６…表示部、２８…テンキー、１００…携帯端末、２０１…アンテナ、２０３…送受信処理部、２０５…変復調処理部、２０７…データ処理部、２１０…スピーカ、２１２…マイク、２２０…表示部、２２３…操作部、２２５…制御部、２２７…メモリ、２２９…時計部、３００…表示画面、３０１…カーソル、３１０…ピクト表示領域、３２０…ショートカット利用表示領域、３３０…キー割当文字利用表示領域、３４０…直接番号入力利用表示領域、３５０…入力文字列表示領域、３６０…キー操作表示領域、４００…電話帳データ
【図１】
0004497418.tif 000002
【図２】
0004497418.tif 000003
【図３】
0004497418.tif 000004
【図４】
0004497418.tif 000005
【図５】
0004497418.tif 000006
【図６】
0004497418.tif 000007
【図７】
0004497418.tif 000008
【図８】
0004497418.tif 000009
【図９】
0004497418.tif 000010
【図１０】
0004497418.tif 000011
【図１１】
0004497418.tif 000012